(57)【要約】【課題】小型かつ簡易な構成で紫外線の配光制御を行うことができる光源モジュール装置を提供する。【解決手段】光源モジュール装置７は、基板４と、基板４に実装され、紫外光を出射する光源３と、光源３を囲むように基板４上に配置され、紫外光を内面で反射して照射対象の方向に導くリフレクタ８と、リフレクタ８の外周を覆うように取り付けられて、紫外光を集光又は拡散するキャップ状の光学部材９とを備えている。【選択図】図２Ｂ
2020089462.tif 000002
【特許請求の範囲】
【請求項１】
基板と、
前記基板に実装された、紫外光を出射する発光素子と、
前記発光素子を囲むように前記基板上に配置された、前記紫外光を内面で反射して照射対象の方向に導くリフレクタと、
前記リフレクタの外周を覆うように取り付けられて、前記紫外光を透過、集光又は拡散するキャップ状の光学部材と、
を備えていることを特徴とする光源モジュール装置。
【請求項２】
前記光学部材は、前記紫外光が通過する部分が前記リフレクタの開口端面に対して凸状、凹状又は平面状に形成されていることを特徴とする請求項１に記載の光源モジュール装置。
【請求項３】
請求項１又は２に記載の光源モジュール装置と、
殺菌対象の流体が軸方向に流れる流路と、前記流体が流入する少なくとも１つの流入口と、前記流体が流出する少なくとも１つの流出口とを有する筐体と、を備え、
前記流入口は、前記筐体の前記軸方向の一端部に設けられ、
前記光源モジュール装置は、前記筐体の前記流入口とは反対側の端部にシール部材を介して取り付けられていることを特徴とする流体殺菌装置。
【請求項４】
請求項１又は２に記載の光源モジュール装置と、
殺菌対象の流体が軸方向に流れる流路と、前記流体が流入する少なくとも１つの流入口と、前記流体が流出する少なくとも１つの流出口とを有する筐体と、を備え、
前記流入口及び前記流出口は、前記筐体の外周上に設けられ、
前記光源モジュール装置は、前記筐体の前記軸方向の両端部に、それぞれシール部材を介して取り付けられていることを特徴とする流体殺菌装置。
【請求項５】
シール部材は、前記光源モジュール装置の前記光学部材と前記筐体の端部との間を封止することを特徴とする請求項３又は４に記載の流体殺菌装置。
【請求項６】
基板と、
前記基板に実装された、紫外光を出射する発光素子と、
前記発光素子を囲むように前記基板上に配置された、前記紫外光を内面で反射して照射対象の方向に導くリフレクタと、
前記リフレクタの開口端部に取り付けられて前記リフレクタを封止し、紫外光を集光又は拡散する光学レンズと、
を備えていることを特徴とする光源モジュール装置。
【請求項７】
請求項６に記載の光源モジュール装置と、
殺菌対象の流体が軸方向に流れる流路と、前記流体が流入する少なくとも１つの流入口と、前記流体が流出する少なくとも１つの流出口とを有する筐体と、
を備え、
前記流入口は、前記筐体の前記軸方向の一端部に設けられ、
前記光源モジュール装置は、前記筐体の前記流入口とは反対側の端部にシール部材を介して取り付けられていることを特徴とする流体殺菌装置。
【請求項８】
シール部材は、前記光源モジュール装置の前記リフレクタと前記筐体の端部との間を封止することを特徴とする請求項７に記載の流体殺菌装置。
【請求項９】
基板と、
前記基板に実装された、紫外光を出射する発光素子と、
前記発光素子の発光面側と当接して、前記基板を支持する枠体と、
前記枠体の内周面で支持されて、前記紫外光を透過、集光又は拡散するキャップ状の光学部材と、を備え、
前記光学部材は、前記紫外光が通過する部分が前記枠体の開口端面に対して凸状、凹状又は平面状に形成されていることを特徴とする光源モジュール装置。
【発明の詳細な説明】
【技術分野】
【０００１】
本発明は、流路を流れる流体を紫外光により殺菌するための光源モジュール装置、及びこれを用いた流体殺菌装置に関する。
【背景技術】
【０００２】
近年、紫外線（波長２４０〜３８０ｎｍ）の殺菌作用が、食品庫の殺菌灯や医療用装置に利用されている。また、流路を流れる流体に対して、紫外ＬＥＤにより紫外光を照射して流体を殺菌し、洗浄用水等に用いる装置もよく知られている。
【０００３】
例えば、下記の特許文献１の照射装置は、直管と、接続管と、光源とを備え、光源は、直管の端部に配置され、直管の内部に向けて紫外光を照射し、直管の内部を流れる水などの流体に対して殺菌処理を施す。
【０００４】
また、光源は、発光素子と、基板と、調整機構とを含み、調整機構は、第１レンズと、第２レンズと、第３レンズとを有する。これにより、調整機構は、発光素子が発する紫外光の配光角を調整し、調整機構から出射される紫外光の配光角φが３０度以下となるようにする。このため、直管の長手方向にわたって高強度の紫外光を伝搬させることができる（特許文献１／段落００１６、００２４、００２５、図１)。
【先行技術文献】
【特許文献】
【０００５】
【特許文献１】特開２０１７−０６４６１０号公報
【発明の概要】
【発明が解決しようとする課題】
【０００６】
しかしながら、特許文献１の照射装置の調整機構は３枚のレンズで構成されているため、各レンズ間の距離や光軸の調整が必要となるという問題があった。また、調整機構の小型化が困難であり、装置全体としても大型になってしまうという問題があった。
【０００７】
本発明は、このような事情に鑑みてなされたものであり、小型かつ簡易な構成で紫外光による殺菌を行うことができる流体殺菌装置の光源モジュール装置を提供することを目的とする。
【課題を解決するための手段】
【０００８】
第１発明の光源モジュール装置は、基板と、前記基板に実装された、紫外光を出射する発光素子と、前記発光素子を囲むように前記基板上に配置された、前記紫外光を内面で反射して照射対象の方向に導くリフレクタと、前記リフレクタの外周を覆うように取り付けられて、前記紫外光を透過、集光又は拡散するキャップ状の光学部材と、を備えていることを特徴とする。
【０００９】
本発明では、基板に実装された発光素子から出射された紫外光がリフレクタの内面で反射されて照射対象の方向に導かれる。また、紫外光は、リフレクタを覆うキャップ状の光学部材により透過、集光又は拡散されるので、小型かつ簡易な構成で紫外光の配光制御を行うことができる。
【００１０】
第１発明の光源モジュール装置において、前記光学部材は、前記紫外光が通過する部分が前記リフレクタの開口端面に対して凸状、凹状又は平面状に形成されていることが好ましい。
【００１１】
本発明では、光学部材のうち紫外光が通過する部分を、リフレクタの開口端面に対して凸状、凹状又は平面状に形成する。これにより、紫外光は光学部材を通過するときに屈折するので、照射対象が収められた容器の大きさや形状に応じて光学部材の形状を使い分けることができる。
【００１２】
第２発明の流体殺菌装置は、上述の光源モジュール装置と、殺菌対象の流体が軸方向に流れる流路と、前記流体が流入する少なくとも１つの流入口と、前記流体が流出する少なくとも１つの流出口とを有する筐体と、を備え、前記流入口は、前記筐体の前記軸方向の一端部に設けられ、前記光源モジュール装置は、前記筐体の前記流入口とは反対側の端部にシール部材を介して取り付けられていることを特徴とする。
【００１３】
本発明では、光源モジュール装置の発光素子から出射された紫外光が流路を通過する流体を照射することで殺菌が進む。この筐体では、筐体の軸方向の一端部に設けられた流入口から流体が流入し、筐体の外周上の流出口から流出する。
【００１４】
光源モジュール装置は、筐体の流入口とは反対側の端部に取り付けられるので、流路内の流体に対して紫外光を長時間照射することができる。また、光源モジュール装置と筐体とはシール部材を介して取り付けられるので、光源モジュール装置に流体が流れ込むことを防止することができる。
【００１５】
第３発明の流体殺菌装置は、上述の光源モジュール装置と、殺菌対象の流体が軸方向に流れる流路と、前記流体が流入する少なくとも１つの流入口と、前記流体が流出する少なくとも１つの流出口とを有する筐体と、を備え、前記流入口及び前記流出口は、前記筐体の外周上に配設され、前記光源モジュール装置は、前記筐体の前記軸方向の両端部に、それぞれシール部材を介して取り付けられていることを特徴とする。
【００１６】
本発明では、光源モジュール装置の発光素子から出射された紫外光が流路を通過する流体を照射することで殺菌が進む。この筐体では、筐体に設けられた筐体の外周上の流入口から流体が流入し、同じく外周上の流出口から流出する。
【００１７】
光源モジュール装置が２つあり、筐体の軸方向の両端部に取り付けられるので、流路内の流体に対して紫外光の照射効率を向上させることができる。また、光源モジュール装置と筐体とは、それぞれシール部材を介して取り付けられるので、光源モジュール装置に流体が流れ込むことを防止することができる。
【００１８】
第２発明又は第３発明の流体殺菌装置において、シール部材は、前記光源モジュール装置の前記光学部材と前記筐体の端部との間を封止することが好ましい。
【００１９】
この構成によれば、シール部材は、光源モジュール装置の光学部材と筐体の端部との間に配置され、この間を封止する。シール部材は材料によっては紫外光に晒されて劣化することがあるが、本発明において、シール部材は光学部材は紫外光が通過しないリフレクタの外側に配設された光学部材の外側に配置されている。このため、シール部材の劣化を防止することができる。
【００２０】
第４発明の光源モジュール装置は、基板と、前記基板に実装された、紫外光を出射する発光素子と、前記発光素子を囲むように前記基板上に配置された、前記紫外光を内面で反射して照射対象の方向に導くリフレクタと、前記リフレクタの開口端部に取り付けられて前記リフレクタを封止し、紫外光を集光又は拡散する光学レンズと、を備えていることを特徴とする。
【００２１】
本発明では、基板に実装された発光素子から出射された紫外光がリフレクタの内面で反射されて照射対象の方向に導かれる。また、紫外光は、リフレクタの開口端部に溶着等で取り付けられた光学レンズにより集光又は拡散されるので、小型かつ簡易な構成で紫外光の配光制御を行うことができる。
【００２２】
第５発明の流体殺菌装置は、第４発明の光源モジュール装置と、殺菌対象の流体が軸方向に流れる流路と、前記流体が流入する少なくとも１つの流入口と、前記流体が流出する少なくとも１つの流出口とを有する筐体と、を備え、前記流入口は、前記筐体の前記軸方向の一端部に設けられ、前記光源モジュール装置は、前記筐体の前記流入口とは反対側の端部にシール部材を介して取り付けられていることを特徴とする。
【００２３】
本発明では、光源モジュール装置は、筐体の流入口とは反対側の端部に取り付けられるので、流路内の流体に対して紫外光を長時間照射することができる。また、光源モジュール装置と筐体とはシール部材を介して取り付けられるので、光源モジュール装置に流体が流れ込むことを防止することができる。
【００２４】
第５発明の流体殺菌装置において、シール部材は、前記光源モジュール装置の前記リフレクタと前記筐体の端部との間を封止することが好ましい。
【００２５】
この構成によれば、シール部材は、光源モジュール装置の光学部材と筐体の端部との間に配置され、この間を封止する。ここで、シール部材は紫外光が通過しないリフレクタの外側に配置されているため、シール部材に紫外光が照射されず、劣化を防止することができる。
【００２６】
第６発明の光源モジュール装置は、基板と、前記基板に実装された、紫外光を出射する発光素子と、前記発光素子の発光面側と当接して、前記基板を支持する枠体と、前記枠体の内周面で支持されて、前記紫外光を透過、集光又は拡散するキャップ状の光学部材と、を備え、前記光学部材は、前記紫外光が通過する部分が前記枠体の開口端面に対して凸状、凹状又は平面状に形成されていることを特徴とする。
【００２７】
本発明では、基板に実装された発光素子から出射された紫外光が光学部材により集光又は拡散されるので、小型かつ簡易な構成で紫外光の配光制御を行うことができる。
【図面の簡単な説明】
【００２８】
【図１】本発明の流体殺菌装置の全体斜視図（第１実施形態）。
【図２Ａ】図１の流体殺菌装置のII-II断面図。
【図２Ｂ】図２の光源モジュール装置の拡大図。
【図３Ａ】光源モジュール装置（凹状の石英キャップ）の拡大図。
【図３Ｂ】光源モジュール装置（丸形状の石英キャップ）の拡大図。
【図４Ａ】光源モジュール装置（両側凸状の石英キャップ）の拡大図。
【図４Ｂ】光源モジュール装置（片側凸状の石英キャップ）の拡大図。
【図４Ｃ】光源モジュール装置（両側凹状の石英キャップ）の拡大図。
【図５】（ａ）石英キャップ（凹状）の場合の照度分布。（ｂ）石英キャップ（片側凸状）の場合の照度分布。（ｃ）石英キャップ（両側平状）の場合の光照度分布。（ｄ）石英キャップ（丸形状）の場合の照度分布。
【図６】光源モジュール装置（凸状の石英レンズ）の拡大図。
【図７】光源モジュール装置（両側平状の石英キャップ、リフレクタ無し）の拡大図。
【図８】本発明の流体殺菌装置の全体断面図（第２実施形態）。
【図９】本発明の流体殺菌装置の全体斜視図（第３実施形態）。
【発明を実施するための形態】
【００２９】
以下、本発明の流体殺菌装置の実施形態について説明する。
【００３０】
［第１実施形態］
図１は、本発明の流体殺菌装置の第１実施形態の全体斜視図である。流体殺菌装置１は、流路を流れる流体に対して紫外光を照射して、殺菌する装置であり、浄水器や工業用循環装置に利用される。
【００３１】
流体殺菌装置１は流路を有し、流体の殺菌部となる筒体５（本発明の「筐体」に相当）と、流体の流入口を有する流入装置６と、光源としてのＬＥＤ（Light Emitting Diode）等を含む光源モジュール装置７とで構成されている。
【００３２】
筒体５は、直径が３０ｍｍ（内径２８ｍｍ）、流路（殺菌部）の長さが１００ｍｍの直管形状を有し、殺菌対象の流体が筒体５の長軸方向に流れるようになっている。筒体５の材料は目的により異なるが、ここではステンレス製である。流体は筒体５の軸方向の一端部に取り付けられた流入装置６の流入口６ａ（内径１３．４ｍｍ）から筒体５に流入して、筒体５の外周上に設けられた流出口５ｂ（内径８．８ｍｍ）から流出する。流量は、０．５〜２（Ｌ／ｍｉｎ）である。
【００３３】
筒体５の軸方向の他端部（流入装置６と反対側の端部）には、光源モジュール装置７が取り付けられている。光源モジュール装置７の詳細は後述するが、その内部には、光源、基板、リフレクタ、石英キャップ等が収められている。また、基板の裏面側（光源の発光面がない側）には、金属製のヒートシンク１１が設けられているため、基板が放出する熱を放熱することができる。
【００３４】
次に、図２Ａに、図１の流体殺菌装置１のII-II断面図を示す。
【００３５】
筒体５の軸方向の一端部（図の右側）の接続ポート５ｃには、雄ネジが形成されている。そして、流入装置６（アルミニウム製）は、流入口６ａと反対側の端部内壁に雌ネジが形成されているため、流入装置６を接続ポート５ｃに螺合させることができる。流入口６ａから流入した流体は、流入装置６の流入口６ａと反対側の端部に設けられた整流板１２を通過して、筒体５の流路に到達する。
【００３６】
整流板１２は金属製又はフッ素樹脂製の板材であり、筒体５の軸方向に貫通する複数の孔を有している。流体は、整流板１２を通過することにより、筒体５の流路に流入する際に流速が平均化される。従って、紫外光が流体に万遍なく照射されるようになり、殺菌性能が向上する。
【００３７】
また、筒体５の軸方向の他端部（図の左側）の接続ポート５ｄにも、雄ネジが形成されている。そして、光源モジュール装置７は、紫外光が出射される側の端部内壁に雌ネジが形成されているため、光源モジュール装置７を接続ポート５ｄに螺合させることができる。
【００３８】
流入口６ａから流入し、筒体５の流路に到達した流体は、筒体５の流出口５ｂの方向に進み、筒体５の外部に流出する。このとき、流路内で光源モジュール装置７の光源３から出射された紫外光に晒されるので、流体が殺菌される。
【００３９】
次に、図２Ｂに光源モジュール装置７の拡大図を示す。
【００４０】
図示するように、光源３から出射される紫外光は、殺菌効果を有する波長又は化学物質を分解する波長を有しており、例えば、波長２４０〜３８０ｎｍの範囲である。光源３は紫外ＬＥＤ（本発明の「発光素子」に相当）であり、基板４の前面側に１つ実装されている。なお、紫外ＬＥＤを複数並べて光源とすることもできる。
【００４１】
基板４は、放熱性に優れた銅、アルミニウム等の金属製のものが望ましい。基板４を通して、光源３に給電が行われる。また、基板４は、その前面側（光源３の発光面側）で枠体７ａと当接して、ネジで固定されている。
【００４２】
基板４の背面側（光源３の発光面と反対側）には、放熱のためのヒートシンク１１が配設されている。これにより、光源３で生じた熱を効率的に放熱することができる。また、枠体７ａを筒体５よりも熱伝導率の高いアルミニウム等の金属で形成することで、光源３の熱は、筒体５に伝導して流体によっても放熱される。
【００４３】
基板４の前面側（枠体７ａの内側）には、光源３を囲むようにリフレクタ８が配設されている。リフレクタ８は回転楕円面又は回転放物面の反射鏡であり、光源３から出射された紫外光は、リフレクタ８の内面で反射して、筒体５の流路の方向に進む（図２Ａ参照）。
【００４４】
リフレクタ８の内面で反射された紫外光は、リフレクタ８を覆うように取り付けられたキャップ状の石英キャップ９（本発明の「光学部材」に相当）を通過する。石英キャップ９は、空気よりも屈折率の大きい石英ガラスを略均一の厚みに加工した部材であり、紫外光が通過する先端部は、リフレクタ８の開口端面に対して平面状に形成されている。これにより、紫外光は、石英キャップ９を通過する際に屈折により拡散するため、流路内の流体に効率良く紫外光が照射される。
【００４５】
本発明に係わる流体殺菌装置の使用時には、石英キャップ９の前面側は、空気よりも屈折率の大きい流体で満たされている。詳細は後述するが、石英キャップ９の先端部は、リフレクタ８の開口端面に対して、凸状、凹状又はその他の形状であってもよい。
【００４６】
また、図示するように、石英キャップ９と筒体５の接続ポート５ｄとの間に空間が設けられ、Ｏリング１３（本発明の「シール部材」に相当）が配設されている。接続ポート５ｄの先端部には、Ｏリング１３用の三角溝５ｄ１が形成されているため、封止により光源モジュール装置７への流体の侵入を防止することができる。なお、図中の三角溝５ｄ２は紫外光を広く通過させるために設けられた溝部であり、接続部５ｄ３は雄ネジが形成された部分である。
【００４７】
また、Ｏリング１３はフッ素系材料で形成されるが、紫外光に晒されて劣化することがある。しかしながら、Ｏリング１３の位置は石英キャップ９の外側であり、リフレクタ８の外側でもあるので、ほとんど紫外光が照射されない。これにより、Ｏリング１３の劣化を防止することができる。
【００４８】
このように、光源モジュール装置７は、従来のレンズを重ねて配光を調整する機構と比較して小型であるため、装置全体の流体殺菌装置１についても小型化することができる。
【００４９】
次に、図３Ａ、図３Ｂ、図４Ａ〜図４Ｃを参照して、石英キャップの変更形態について説明する。以下では、上述の実施形態と同じ構成については同じ符号を付し、説明を省略する。
【００５０】
図３Ａの光源モジュール装置７１は、枠体７ａの内部に光源３、基板４、リフレクタ８、ヒートシンク１１及び石英キャップ９１が収められている。光源モジュール装置７１を構成する各部材の配置は、上述の光源モジュール装置７（図２Ｂ参照）と同じであるが、石英キャップ９１は、紫外光が通過する先端部がリフレクタ８の開口端面に対して凹状に形成されている。
【００５１】
光源３から出射され、リフレクタ８の内面で反射された紫外光は、リフレクタ８を覆うように取り付けられた石英キャップ９１を通過する。石英キャップ９１も略均一の厚みの石英ガラスであり、紫外光は、石英キャップ９１を通過する際に屈折し、上述の石英キャップ９（両側平状）よりも大きく拡散する。これにより、流路内の流体に紫外光が効率良く照射される。
【００５２】
また、石英キャップ９１と筒体５の接続ポート５ｄ（三角溝５ｄ１）との間にＯリング１３が配設されているため、光源モジュール装置７１への流体の侵入を防止することができる。さらに、Ｏリング１３の位置は、ほとんど紫外光が照射されないので、Ｏリング１３の劣化を防止することができる。
【００５３】
図３Ｂの光源モジュール装置７２は、枠体７ａの内部に光源３、基板４、リフレクタ８、ヒートシンク１１及び石英キャップ９２が収められている。ここでも、光源モジュール装置７２を構成する各部材の配置は、上述の光源モジュール装置７（図２Ｂ参照）と同じであるが、石英キャップ９２は、紫外光が通過する先端部がリフレクタ８の開口端面に対して丸形状（凸状）に形成されている。
【００５４】
光源３から出射され、リフレクタ８の内面で反射された紫外光は、リフレクタ８を覆うように取り付けられた石英キャップ９２を通過する。石英キャップ９２も略均一の厚みの石英ガラスであり、紫外光は、石英キャップ９２を通過する際に屈折し、上述の石英キャップ９（両側平状）とは逆に紫外光を集光する。従って、石英キャップ９２は、ある領域の流体に集中的に紫外光を照射するような場合に最適である。
【００５５】
また、石英キャップ９２と筒体５の接続ポート５ｄ（三角溝５ｄ１）との間にＯリング１３が配設されているため、光源モジュール装置７２への流体の侵入を防止することができる。さらに、Ｏリング１３の位置は、ほとんど紫外光が照射されないので、Ｏリング１３の劣化を防止することができる。
【００５６】
石英キャップは、この他にも様々な形状が考えられ、それぞれ目的に応じて使い分けることができる。上述の石英キャップ９，９１，９２は、リフレクタ８の外周にキャップのように嵌め込まれるため、交換が容易という利点もある。
【００５７】
次に、図４Ａに示す光源モジュール装置７３の石英キャップ９３は、リフレクタ８に取り付ける部分は略均一の厚みで形成され、紫外光が通過する先端部が両面凸状に形成されている。石英キャップ９３は、上述の石英キャップ９，９１，９２とは、また異なる配光制御に用いることができる。
【００５８】
また、図４Ｂに示す光源モジュール装置７４の石英キャップ９４のように、紫外光が通過する先端部を片側（光源３側）凸状に形成してもよいし、図４Ｃに示す光源モジュール装置７５の石英キャップ９５のように、紫外光が通過する先端部を片側（光源３側）凹状に形成してもよい。各石英キャップの配光制御については、詳細を後述する。
【００５９】
次に、図５を参照して、筒体５内を流れる流体に対する紫外光の照度分布（シミュレーション結果）について説明する。以下に示す照度分布は、流体殺菌装置１（図１参照）に流体を通過させた場合であり、リフレクタ８の光反射率が約７０％、筒体５の内面の拡散反射率が約２０％という条件である。
【００６０】
図５（ａ）の上段は、図３Ａに示す光源モジュール装置７１（凹状の石英キャップ９１）を採用した場合の照度分布である。光源３を有する光源モジュール装置７１は筒体５の左側に配置されているため、筒体５の左端部の照度は強く５．０（ｍＷ／ｃｍ２）であるが、流出口５ｂよりも遠い地点では徐々に照度が低下し、筒体５の長軸方向の中央よりも遠い地点では照度が０．５（ｍＷ／ｃｍ２）となることが分かる。
【００６１】
なお、中段の照度分布はスケール幅を変更して０〜２（ｍＷ／ｃｍ２）とした場合であり、下段の照度分布はスケール幅を０〜１（ｍＷ／ｃｍ２）とした場合である。下段の照度分布によれば、石英キャップ９１の場合、筒体５の右端部でも約０．２０（ｍＷ／ｃｍ２）の照度が得られている。
【００６２】
次に、図５（ｂ）の上段は、図４Ｂに示す光源モジュール装置７４（片側凸状の石英キャップ９４）を採用した場合の照度分布である。照度分布から石英キャップ９４は、上述の石英キャップ９１と同様の配光が得られることが分かる。
【００６３】
次に、図５（ｃ）の上段は、図２Ｂに示す光源モジュール装置７（両側平状の石英キャップ９）を採用した場合の照度分布である。下段の照度分布によれば、石英キャップ９は、上述の石英キャップ９１と比較して紫外光の拡散角が広いことが分かる。
【００６４】
最後に、図５（ｄ）の上段は、図３Ｂに示す光源モジュール装置７２（丸形状の石英キャップ９２）を採用した場合の照度分布である。この照度分布によれば、石英キャップ９２は、上述の石英キャップ９１とは逆に、集光型の配光が得られることが分かる。以上のシミュレーション結果を考慮して、目的に応じて石英キャップの種類を適宜選択することができる。
【００６５】
次に、図６、図７を参照して、光源モジュール装置の変更形態について説明する。以下でも、上述の実施形態と同じ構成については同じ符号を付し、説明を省略する。
【００６６】
図６の光源モジュール装置７６は、枠体７ａの内部に光源３、基板４、リフレクタ８、ヒートシンク１１及び光学レンズ１５が収められている。光源モジュール装置７６を構成する各部材の配置は、上述の光源モジュール装置７（図２Ｂ参照）と基本的に同じであるが、石英キャップ９の代わりに光学レンズ１５が用いられる。
【００６７】
ここで、光学レンズ１５は凸レンズであり、リフレクタ８の開口端面に溶着され、封止されている。このため、リフレクタ８の内部への流体の侵入を防止することができる。リフレクタ８と筒体５の接続ポート５ｄ（三角溝５ｄ１）との間にはＯリング１３が配設され、この部分でも止水可能となっている。さらに、Ｏリング１３の位置は、ほとんど紫外光が照射されないので、Ｏリング１３の劣化を防止することができる。
【００６８】
光源３から出射され、リフレクタ８の内面で反射された紫外光は、光学レンズ１５を通過する際に屈折により拡散する。これにより、流路内の流体に紫外光が効率良く照射される。
【００６９】
光学レンズ１５は、ガラスと広い温度範囲で熱膨張係数が一致するコバール合金（Ｆｅ５４％、Ｎｉ２８％、Ｃｏ１８％）で接合してもよい。これにより、接合時に熱膨張率の違いから生じる応力を低減させることができる。なお、光学レンズとして、凹レンズや平面レンズを用いてもよく、それぞれ異なる配光が作られるため、目的に応じて使い分けることができる。
【００７０】
以上では一部材のリフレクタ８を用いたが、リフレクタ８が無くても同様の配光制御は可能である。例えば、枠体７ａをテーパー構造とし、リフレクタの形状に加工しても、同じ効果が期待できる。
【００７１】
図７の光源モジュール装置７７は、枠体７ａの内部に光源３、基板４、石英キャップ９及びヒートシンク１１が収められている。光源モジュール装置７６を構成する各部材の配置は、上述の光源モジュール装置７（図２Ｂ参照）と基本的に同じであるが、リフレクタ８を有していない点で異なっている。
【００７２】
石英キャップ９は略均一の厚みの石英ガラスであり、枠体７ａの開口端面に対して平面状に形成されている。紫外光は、石英キャップ９を通過する際に屈折により拡散するため、流路内の流体に効率良く照射される。ここでも、石英キャップの紫外光が通過する先端部は、枠体７ａの開口端面に対して、凸状でも凹状でもよい。
【００７３】
また、図示するように、石英キャップ９と筒体５の接続ポート５ｄとの間に空間が設けられ、Ｏリング１３が配設されている。筒体５の接続ポート５ｄにはＯリング１３用の三角溝５ｄ１が形成されているため、光源モジュール装置７への流体の侵入を防止することができる。さらに、Ｏリング１３の位置は、ほとんど紫外光が照射されないので、Ｏリング１３の劣化を防止することができる。
【００７４】
石英キャップ９の先端部以外の内壁に、アルミニウムを蒸着してもよい。これにより、光源３から出射された紫外光が反射されて、流体の方向に導かれるため、リフレクタと同じ効果が得られる。
【００７５】
［第２実施形態］
次に、図８を参照して、本発明の流体殺菌装置の第２実施形態について説明する。
【００７６】
流体殺菌装置１０は流路を有し、流体の殺菌部となる筒体５’と、光源としてのＬＥＤ等を含む光源モジュール装置７Ａ，７Ｂとで構成されている。
【００７７】
今回、第１実施形態の筒体５にもう１つ開口を取り付けて、流入口５ａとする。すなわち、流体は筒体５’の外周に設けられた流入口５ａ（内径８．８ｍｍ）から筒体５’に流入して、流出口５ｂ（内径８．８ｍｍ）から流出する。流量は０．５〜２（Ｌ／ｍｉｎ）である。
【００７８】
また、筒体５’の接続ポート５ｃには光源モジュール装置７Ａが取り付けられ、接続ポート５ｄには光源モジュール装置７Ｂが取り付けられている。光源モジュール装置７Ａ，７Ｂの内部には、光源、基板、リフレクタ、石英キャップ等が収められているが、目的に応じて上述の光源モジュール装置７、７１〜７７の何れを採用してもよい。また、光源モジュール装置７Ａと光源モジュール装置７Ｂとで、異なる光源モジュール装置を採用してもよい。
【００７９】
流体殺菌装置１０では、流入口５ａから流入した直後から光源モジュール装置７Ａの光源３ａにより紫外光が流体に照射され、流出口５ｂ付近では光源モジュール装置７Ｂの光源３ｂにより紫外光が流体に照射される。これにより、殺菌効率を向上させることができる。
【００８０】
［第３実施形態］
最後に、図９を参照して、本発明の流体殺菌装置の第３実施形態について説明する。
【００８１】
流体殺菌装置２０は流路を有し、流体の殺菌部となる筒体５１と、光源としてのＬＥＤ等を含む光源モジュール装置７Ｃ，７Ｄとで構成されている。
【００８２】
筒体５１はステンレス製であり、断面がオーバル形状、流路（殺菌部）の長さが１００ｍｍの直管形状を有し、殺菌対象の流体が筒体５１の長軸方向に流れるようになっている。流体は筒体５１の軸方向の一端部に取り付けられた流入装置６１の流入口６１ａ（内径１３．４ｍｍ）から筒体５１に流入して、筒体５１の外周上に設けられた流出口５１ｂ（内径１１．９ｍｍ）から流出する。流量は、上述の流体殺菌装置１，１０よりも多く、２〜６（Ｌ／ｍｉｎ）である。
【００８３】
また、筒体５１の軸方向の他端部（流入装置６１と反対側の端部）には、光源モジュール装置７Ｃ，７Ｄが取り付けられている。光源モジュール装置７Ｃ，７Ｄの内部には、光源、基板、リフレクタ、石英キャップ等が収められているが、目的に応じて上述の光源モジュール装置７、７１〜７７の何れを採用してもよい。また、光源モジュール装置７Ｃと光源モジュール装置７Ｄとで、一方が集光型、他方が拡散型の配光となるような異なる光源モジュール装置を採用してもよい。このように、筒体５１の流量によって、取り付ける光源モジュール装置の数、又は種類を変更して、殺菌効率を高めることができる。
【００８４】
上述の実施形態は一例に過ぎず、用途に応じて適宜変更することができる。流体殺菌装置の筒体は、用途により流量が異なるため、サイズや形状を変更することができる。特に、本発明の光源モジュール装置は、水路の一部に取り付ける流水リアクタに限られるものではない。
【００８５】
例えば、光源モジュール装置を専用の接続ポートを有するサーバや貯水タンクに取り付けることで、容器内の流体に対して紫外光を照射し、殺菌することができる。紫外光は、容器の側面側から流体に照射してもよいし、上面側から照射してもよい。この他にも、表面殺菌や風呂場の水垢、カビ対策としての殺菌にも利用することができる。
【００８６】
筒体の断面形状は、円形状、オーバル形状に限られず、多角形状としてもよい。筐体の断面積に応じて、例えば、３個以上の光源モジュール装置を筐体の端部に取り付けてもよい。１つの光源モジュール装置内の光源の数も適宜変更することができ、筐体の断面形状に応じてマトリクス状に配置すること等が可能である。
【００８７】
流体殺菌装置１のように、流路の片側に光源が配設される形態では、流体が流れる方向は、一般的に紫外光の照射方向と逆向きであるが、照射方向と一致させてもよい。流入口、流出口の数や方向、紫外ＬＥＤの数等も適宜変更可能である。
【００８８】
流体殺菌装置の筒体の内壁がポリ塩化ビニルで構成される場合、ポリ塩化ビニルの紫外光による劣化を防止するため、紫外光反射材料や紫外光吸収材料でコーティングするようにしてもよい。紫外光反射材料としては、ＰＴＦＥ等のフッ素系樹脂、アルミニウム等を用いることができる。また、紫外光吸収材料としては、ステンレス鋼等を用いることができる。
【符号の説明】
【００８９】
１，１０，２０…流体殺菌装置、３，３ａ，３ｂ…光源、４…基板、５，５’，５１…筒体、５ａ，６ａ，６１ａ…流入口、５ｂ，５１ｂ…流出口、５ｃ，５ｄ…接続ポート、６，６１…流入装置、７，７Ａ〜７Ｄ，７１〜７７…光源モジュール装置、７ａ…枠体、８…リフレクタ、９，９１〜９５…石英キャップ、１１…ヒートシンク、１２…整流板、１３…Оリング、１５…光学レンズ。
【図１】
2020089462.tif 000003
【図２Ａ】
2020089462.tif 000004
【図２Ｂ】
2020089462.tif 000005
【図３Ａ】
2020089462.tif 000006
【図３Ｂ】
2020089462.tif 000007
【図４Ａ】
2020089462.tif 000008
【図４Ｂ】
2020089462.tif 000009
【図４Ｃ】
2020089462.tif 000010
【図５】
2020089462.tif 000011
【図６】
2020089462.tif 000012
【図７】
2020089462.tif 000013
【図８】
2020089462.tif 000014
【図９】
2020089462.tif 000015